(57)【要約】【課題】リニューアル工事等で必要な場合には、バルコニーを通路として利用できるようにする。【解決手段】集合住宅のバルコニー５０における隣家との境界部分には、図示のようなバルコニー用仕切り装置１が配置されている。この仕切り装置１は、開口部２ａを有する着脱部材２と、該開口部２ａを開閉可能な開閉部材３と、を備えている。したがって、リニューアル工事等で必要な場合には開口部２ａを開状態としてバルコニーを作業用通路として利用できる。このため、従来のように足場を設置したり撤去したりする必要が無く、その分、工事費用を低減でき、工期を短縮できる。【選択図】図１
2008163583.tif 000002
【特許請求の範囲】
【請求項１】
集合住宅のバルコニーにおける隣家との境界部分に配置されて使用されるバルコニー用仕切り装置において、
人が通り抜けることのできる程度の大きさの開口部を形成する部材であって、該開口部の外周に位置する着脱部材と、
移動可能に支持されていて前記開口部を開状態又は閉状態にする開閉部材と、
を備えたことを特徴とするバルコニー用仕切り装置。
【請求項２】
前記着脱部材は、面積が可変になる仕組みを有している、
ことを特徴とする請求項１に記載のバルコニー用仕切り装置。
【請求項３】
前記着脱部材及び／又は前記開閉部材は、人が簡単に破壊して通り抜けることのできる脆弱部を有する、
ことを特徴とする請求項１に記載のバルコニー用仕切り装置。
【請求項４】
前記着脱部材は、前記バルコニー側に取り付けられる取り付け部を有する、
ことを特徴とする請求項１に記載のバルコニー用仕切り装置。
【請求項５】
前記取り付け部は、前記バルコニーにおける住戸側壁面に沿って立設された第１縦枠部材と、前記バルコニーにおける手摺部に沿って立設された第２縦枠部材とに着脱自在な状態で取り付けられるように構成された、
ことを特徴とする請求項４に記載のバルコニー用仕切り装置。
【発明の詳細な説明】
【技術分野】
【０００１】
本発明は、集合住宅のバルコニーにおける隣家との境界部分に配置されて使用されるバルコニー用仕切り装置に関し、詳しくは、開閉可能な開口部を有して通り抜け可能に構成された仕切り装置に関する。
【背景技術】
【０００２】
一般に、既設の建物についてリニューアル工事を行う等の場合には、作業者が自由に行き来できるような作業スペース（作業用通路）を建物の外壁側に確保しておく必要がある。
【０００３】
一方、集合住宅の中には、各住戸のバルコニーが連なるように配置されていて非常時の通路として利用できるようになっているものもある。しかし、そのバルコニーは非常時以外は隣家との境界部分がパーテーションにて仕切られているので、作業用通路としては利用できない。
【０００４】
そこで、このような集合住宅においても他の建物の場合と同様に、工事を行う際には建物の周囲に足場を組むことが行なわれていた。また、組むことのできる足場には高さ制限があることから、中層や高層の建物についての足場確保の方法として、
・  足場支持治具を建物から外方へ突出させると共に、その上に足場を組むようにする方法（例えば、特許文献１参照）
等が提案されている。
【特許文献１】特開２００３−２０６６２７号公報
【発明の開示】
【発明が解決しようとする課題】
【０００５】
しかしながら、上述のように足場を使用する場合には、その設置や撤去のための大規模な工事が必要で、その分、工事費用や工期が掛かってしまうという問題があった。
【０００６】
本発明は、バルコニーを作業用通路として利用できるようにするバルコニー用仕切り装置を提供することを目的とするものである。
【課題を解決するための手段】
【０００７】
請求項１に係る発明は、図１，２，４、５に例示するものであって、集合住宅のバルコニー（５０）における隣家との境界部分に配置されて使用されるバルコニー用仕切り装置（１，１１，２１）において、
人が通り抜けることのできる程度の大きさの開口部（例えば、図１の符号２ａ参照。図２，４，５においては不図示）を形成する部材であって、該開口部の外周に位置する着脱部材（２，１２，２２）と、
移動可能に支持されていて前記開口部（２ａ）を開状態（例えば、図２参照）又は閉状態（例えば、図１参照）にする開閉部材（３，１３，２３）と、を備えたことを特徴とする。
【０００８】
請求項２に係る発明は、請求項１に係る発明において、前記着脱部材は、面積が可変になる仕組みを有していることを特徴とする。
【０００９】
請求項３に係る発明は、請求項１に係る発明において、前記着脱部材（２，１２，２２）及び／又は前記開閉部材（３，１３，２３）は、人が簡単に破壊して通り抜けることのできる脆弱部（図５の符号２５参照）を有することを特徴とする。
【００１０】
請求項４に係る発明は、請求項１に係る発明において、前記着脱部材（２，１２，２２）は、前記バルコニー側に取り付けられる取り付け部（２ｂ，１２ｂ，２２ｂ）を有することを特徴とする。
【００１１】
請求項５に係る発明は、請求項４に係る発明において、前記取り付け部（２ｂ，１２ｂ，２２ｂ）は、前記バルコニー（５０）における住戸側壁面（５１）に沿って立設された第１縦枠部材（１０１ａ）と、前記バルコニー（５０）における手摺部（５２）に沿って立設された第２縦枠部材（１０１ｂ）とに着脱自在な状態で取り付けられるように構成されたことを特徴とする。
【００１２】
なお、括弧内の番号などは、図面における対応する要素を示す便宜的なものであり、従って、本記述は図面上の記載に限定拘束されるものではない。
【発明の効果】
【００１３】
従来の一般的な集合住宅のパーテーションは、その遮蔽板を破壊しなければ開状態とはならず、元の閉状態に戻すには修復のための工事が必要であった。これに対し請求項１，４及び５に係る発明では、開閉部材を移動させるという可逆的な操作で開状態にも閉状態にもできるので（つまり、コストや時間の掛かる修復工事のようなものは不要なので）、必要なときにはいつでも該仕切り装置を開状態にして通り抜けることができる。したがって、建物のリニューアル工事を行うような場合においては、例えば、昼間の作業時には開口させておいてバルコニーを作業用通路や足場として利用し、夜は閉塞させておいてプライバシーの保護を図るというようなことも可能となる。このため、従来のように足場を設置したり撤去したりする必要が無く、その分、工事費用を低減でき、工期を短縮できる。
【００１４】
請求項２に係る発明によれば、着脱部材は、面積が可変になる仕組みを有しているので、幅や高さの異なるバルコニーであっても仕切ることができる。
【００１５】
請求項３に係る発明によれば、非常の際に人が簡単に通り抜けることができる。
【発明を実施するための最良の形態】
【００１６】
以下、図１乃至図７に沿って、本発明を実施するための最良の形態について説明する。ここで、図１は、本発明に係るバルコニー用仕切り装置の構造及び使用状態の一例を示す図（断面図）であり、図２は、該仕切り装置が閉塞されている状態の一例を示す図（断面図）であり、図３は、従来のパーテーションの構造の一例を示す図（断面図）である。また、図４は、本発明に係るバルコニー用仕切り装置の構造の他の例を示す図（断面図）であり、図５は、本発明に係るバルコニー用仕切り装置の構造のさらに他の例を示す図（断面図）である。さらに、図６は、本発明に係るバルコニー用仕切り装置の構造のさらに他の例を示す図（断面図）であり、図７は、図６に示す仕切り装置の開状態を示す図（断面図）である。
【００１７】
本発明に係るバルコニー用仕切り装置は、集合住宅のバルコニーにおける隣家との境界部分に配置されて使用されるものである。本発明に係るバルコニー用仕切り装置は、例えば図１及び図２に符号１で示す構造のものであって、バルコニー５０を仕切るように住戸側壁面５１と手摺部５２との間に配置される。なお、符号１０１ａは、住戸側壁面５１に沿うように立設されて前記仕切り装置１を支持する第１縦枠部材を示し、符号１０１ｂは、手摺部５２に沿うように立設されて前記仕切り装置１を支持する第２縦枠部材を示す（詳細は後述する）。
【００１８】
本発明に係るバルコニー用仕切り装置１は、人が通り抜けることができる程度の大きさの開口部２ａを有している。図中の符号２は、その開口部２ａの外周に位置する部材であって、その開口部２ａを形成する部材（本明細書において“着脱部材”とする）である。また、本発明に係るバルコニー用仕切り装置１は、移動可能となるように前記着脱部材側や建物側に支持される開閉部材３を備えており、該開閉部材３を移動させるだけで開口部２ａを簡単に開状態（図２参照）又は閉状態（図１参照）にできるようになっている。
【００１９】
ここで、本発明の効果を従来構造と対比して説明する。従来の一般的な集合住宅においては、図３に符号１００で示すような構造のパーテーションが使用されている。図中の符号１０１はパーテーションの枠体を示し、符号１０２，１０３は、枠体１０１に支持された遮蔽板を示す。このようなパーテーション１００では、遮蔽板１０２，１０３を破壊しなければ開状態とはならず、元の状態（閉状態）に戻すには修復のための工事が必要であった。これに対し本発明では、開閉部材３を移動させるという可逆的な操作で開状態にも閉状態にもできるので（つまり、コストや時間の掛かる修復工事のようなものは不要なので）、必要なときにはいつでも該仕切り装置を開状態にして通り抜けることができる。したがって、建物のリニューアル工事を行うような場合においては、例えば、昼間の作業時には開口させておいてバルコニーを作業用通路や足場として利用し、夜は閉塞させておいてプライバシーの保護を図るというようなことも可能となる。このため、従来のように足場を設置したり撤去したりする必要が無く、その分、工事費用を低減でき、工期を短縮できる。
【００２０】
ところで、図１及び図２に示す着脱部材２及び開閉部材３は、可撓性に富む柔軟なシート材であるが、もちろんこれに限られるものではなく、剛性のある部材（例えば、金属製や木製や樹脂製等の板状の部材）にて形成しても良い。また、着脱部材及び開閉部材の一方を可撓性に富む柔軟なシート材にて形成し、他方を剛性のある部材にて形成しても良い。
【００２１】
一方、中層や高層の集合住宅においては、強い風を受ける箇所に仕切り装置を配置しなければならない場合もある。そのような場合には、風を通すことのできるメッシュ部分（図４の符号１３ａ参照）を少なくとも一部に有する部材を開閉部材や着脱部材に使用すると良い。かかる場合、バタツキ音を軽減することができる。また、１階や２階などの低い階で強い風は受けず、視線の遮断の方が優先される場合には、メッシュ部分が無く不透明で完全に視線を遮断できる部材を使用すると良い。
【００２２】
また一方、図１，２，４に示すものでは、着脱部材２，１２と開閉部材３，１３とが分離できないように構成されているが、もちろんこれに限られるものではなく、着脱部材と開閉部材とを分離できるように構成しても良い。例えば、図５に例示するように、開閉部材２３の全周に亘ってファスナー２４を設け、開閉部材２３を着脱部材２２から取り外せるようにしても良い。その場合（つまり、開閉部材を取り外し可能に構成する場合）は、構造や模様や材質等の異なる複数種類の開閉部材を用意しておいて、適宜選択できるようにしておくと良い。例えば、
・  少なくとも一部にメッシュ部分を有する部材であって、風を通すことのできる開閉部材
・  そのようなメッシュ部分は無く、しかも不透明で、視線を完全に遮断することができる開閉部材
・  模様や絵が描かれた開閉部材（例えば、花柄模様のシート材）
等（それらの少なくとも１つを含むセット）を用意しておくと、設置場所のニーズ（例えば、バタツキ音の軽減を優先させるか、視線の遮断を優先させるか）や居住者の趣味や嗜好を満足させることができる。また、メッシュシート（つまり、メッシュ部分を有するシート材）の枚数を変更できるようにしても良く、メッシュシートのメッシュ孔の大きさ（粗さ）を変更できるようにしても良い。そのようにした場合には、風が通り抜ける度合い、及び視線が遮断される度合いを微調整することができ、設置場所の状態に最も適した仕切り装置にすることができる。
【００２３】
ところで、図１，２，４及び５に示す仕切り装置では、着脱部材２，１２，２２と開閉部材３，１３，２３との間にファスナー４，１４，２４が設けられていて該ファスナーによって開口部が開閉されるようになっているが、開閉のための構造はもちろんこれに限られるものではなく、マジックテープ等の他の公知手段を用いても良い。また、開閉部材が剛体（例えば、板状部材）の場合には、一般的なドアに使用される蝶番やノブを設けるようにしても良い。さらに、ファスナーを設ける場合／ノブ等を設ける場合のいずれにおいても、その開閉部材を開閉を特定の者のみが開閉できるように鍵を設けておくと良い。
【００２４】
一方、本発明に係るバルコニー用仕切り装置は、
(1)   既設の集合住宅の遮蔽板（図３の符号１０３参照）を取り外して一定期間（例えば、リニューアル工事の間）だけ設置しておき、必要が無くなれば元の遮蔽板１０３に戻すようにしても、
(2)   元の状態に戻さずに常設させても、
(3)   新築の建物に最初から設置するようにしても、
いずれでも良い。
【００２５】
ところで、バルコニーの幅（図１等における左右方向の幅）や高さ（バルコニーの床部から天井部までの距離）は様々であるので、面積が可変になる仕組みを着脱部材自体が持っていて、幅や高さの異なるバルコニーであっても仕切ることができるようにしておくと良い。これによって同一工事においての転用または他の工事への転用などが可能になる。ここで、“面積が可変になる仕組み”とは、例えば、可撓性に富む伸縮自在なシート材で着脱部材を構成することが挙げられる。なお、十分な幅を有した可撓性に富むシート材（伸縮自在でないシート材）で着脱部材を構成しておき、バルコニーの幅や高さに合わせて該着脱部材を広げるようにしても良い。
【００２６】
一方、前記着脱部材及び／又は前記開閉部材の一部に、人が簡単に破壊して通り抜けることができる脆弱部を設けておいて、非常の際に人が簡単に通り抜けることができるようにしておくと良い。例えば、図５に符号２５で示すように、脆弱部としてのスリットを断続的に設けておいて、そのスリット部分を容易に破断できるようにしておくと良い。
【００２７】
ところで、着脱部材には、バルコニー側に取り付けられる取り付け部を設けておくと良い。図１，２，４及び５に示す取り付け部は、ハトメ２ｂ，１２ｂ，２２ｂ（ロープを通すためにシート材に取り付けられたリング状の部材）であって、ロープ５を介して、前記第１縦枠部材１０１ａ及び前記第２縦枠部材１０１ｂに着脱自在な状態で取り付けられるように構成されたものであるが、もちろんこれに限られるものでは無い。取り付け部を、
・  ハトメを用いずに孔だけとしても、
・  着脱部材の縁部から突出させたリング状部材としても、
・  着脱部材から突出させた突起部としても、
いずれでも良い。
【００２８】
なお、着脱部材が取り付けられる“バルコニー側”とは、前記縦枠部材１０１ａ，１０１ｂだけを意味するものではなく、
・  縦枠部材１０１ａ，１０１ｂ以外の、バルコニーに支持された何らかの部材
・  バルコニーにおける住戸側壁面５１や手摺部５２や天井部や床部
をも含む広い概念である。
【００２９】
ところで、本発明に係るバルコニー用仕切り装置を図６及び図７に示すように構成しても良い。すなわち、２本のファスナー３４Ａ，３４Ｂを略平行で、かつ人が通り抜けることができる程度の幅に離間した状態に配置しておき、両方のファスナー３４Ａ，３４Ｂに掛けて棒状部材３５を図示のように配置し、その棒状部材３５には各ファスナー３４Ａ，３４Ｂのそれぞれのスライダー（図２に符号４ａで示すような形状のもの）を連結しておいて、棒状部材３５を上下させることにより両ファスナー３４Ａ，３４Ｂの開閉を同時に行なうようにすると良い。図６は閉状態を示し、図７は開状態を示す。図７の符号３２ａは開口部を示し、符号３２は着脱部材を示し、符号３３は開閉部材を示す。
【図面の簡単な説明】
【００３０】
【図１】図１は、本発明に係るバルコニー用仕切り装置の構造及び使用状態の一例を示す図（断面図）である。
【図２】図２は、本発明に係るバルコニー用仕切り装置が閉塞されている状態の一例を示す図（断面図）である。
【図３】図３は、従来のパーテーションの構造の一例を示す図（断面図）である。
【図４】図４は、本発明に係るバルコニー用仕切り装置の構造の他の例を示す図（断面図）である。
【図５】図５は、本発明に係るバルコニー用仕切り装置の構造のさらに他の例を示す図（断面図）である。
【図６】図６は、本発明に係るバルコニー用仕切り装置の構造のさらに他の例を示す図（断面図）である。
【図７】図７は、図６に示す仕切り装置の開状態を示す図（断面図）である。
【符号の説明】
【００３１】
１              バルコニー用仕切り装置
２              着脱部材
２ａ            開口部
２ｂ            取り付け部（ハトメ）
３              開閉部材
１１            バルコニー用仕切り装置
１２            着脱部材
１２ｂ          取り付け部（ハトメ）
１３            開閉部材
２１            バルコニー用仕切り装置
２２            着脱部材
２２ｂ          取り付け部（ハトメ）
２３            開閉部材
５０            バルコニー
５１            住戸側壁面
５２            手摺部
１０１ａ        第１縦枠部材
１０１ｂ        第２縦枠部材
【図１】
2008163583.tif 000003
【図２】
2008163583.tif 000004
【図３】
2008163583.tif 000005
【図４】
2008163583.tif 000006
【図５】
2008163583.tif 000007
【図６】
2008163583.tif 000008
【図７】
2008163583.tif 000009